(57)【要約】【課題】  公衆の前で情報を入力する際に、自分以外の人に察知されることなく入力できるようにする入力情報秘匿体を得ることにある。さらには子供たちが常に持ち運びができ、且つ他の用途にも使えるものが望まれるのであった。さらには一度しか使わない場合では安価に提供する。【解決手段】  公衆の目前で情報処理装置に手で入力する際に手Ｈに取り付けて手及び入力部を覆い隠す覆い隠し体１である入力情報秘匿体1としてある。  さらに少なくとも手Ｈを覆い隠す大きさで変形可能な不透明素材の略中央に手を保持する保持部８を有する略２次元面体１としてある。【選択図】  図２
2007080003.tif 000002
【特許請求の範囲】
【請求項１】
公衆の目前で情報処理装置に手で入力する際に手に取り付けて手及び前記情報処理装置の入力操作部を覆い隠す覆い隠し体であることを特徴とする入力情報秘匿体。
【請求項２】
請求項１において、覆い隠し体は、少なくとも手を覆う大きさで変形可能な不透明体の略中央部に手を保持する保持部を設けたことを特徴とする入力情報秘匿体。
【請求項３】
請求項１において、覆い隠し体は、少なくとも手を覆う大きさで変形可能な不透明体の略中央部に手を保持する保持部を設け、前記不透明体は手首に巻着保持可能な係留部を有することを特徴とする入力情報秘匿体。
【請求項４】
請求項２又は３において、不透明体は、表面に少なくともデザイン画が施してある織物であることを特徴とする入力情報秘匿体。
【請求項５】
請求項２又は３において、不透明体は、表面が印刷された紙であることを特徴とする入力情報秘匿体。
【請求項６】
少なくとも手を覆い隠す大きさで変形可能な不透明素材の略中央に手を保持する保持部を有する略２次元面体。
【請求項７】
請求項６において、前記不透明素材縁には不透明素材の保持部に手を保持した際に手首を巻きつけ係留する係留部を有することを特徴とする略2次元面体。
【発明の詳細な説明】
【技術分野】
【０００１】
本発明は、公衆の目前で情報を入力する際、入力者以外の他人に察知されないようにする入力情報秘匿体に関する。
【背景技術】
【０００２】
銀行のＡＴＭ（キャッシュコーナにある機械による現金の預け入れ、引き出し機）では、隣の機械との境界に目隠し板が設けてあり隣の操作者から見えないようにいる。利用者はキャッシュカードを入れて暗証番号を入力することで、そのキャッシュカードの持ち主である本人確認した後に、各種の入出金操作をすることができる。
【０００３】
また、携帯電話では、通信の秘密を守るために入力中の画面が横から覗き見されないように画面に覗き見防止機能を有する光学フィルムを貼り付ける覗き見防止具がある（例えば特許文献１参照）。
【０００４】
図８に従来技術として、本願出願人が製品化した甲虫の対戦をテーマとした遊戯カードを読み込ませて遊ぶゲームシステムの外観図を示す。これらの製品は、ショッピングセンターの玩具コーナーや、アミューズメントセンターに設置してあり、子供達に人気を博し、子供達に自然界にある甲虫に興味を持つ機会を提供している。
【０００５】
このゲームシステム０１は、遊戯者が立った目線位置に動画像表示するモニター０２があり、モニター０２の中央目前のコントロールパネル０３上にはカードリーダ０４が設けてあり、カードリーダ０４の左右のコントロールパネル０３上にはそれぞれグー０５ａ、チョキ０５ｂ、パー０５ｃの３つのジャンケンボタン０５が三角形に配置されている。
ゲームシステム０１の正面左下部にはコイン投入口０６があり、右下部にはスピーカ０７が内設されている。そして正面中央の下方には略名刺大の遊戯カードを排出するカード排出口０８がある。
【０００６】
図８（Ａ）は通常のゲームシステム外観図である。通常は一人でゲームをするのがほとんどであり、利用料金をコイン投入口０６から投入した後、カード排出口０８から図示しない遊戯カードが１枚排出される。遊戯者は手持ちの遊戯カードから所定の遊戯カードをモニター０２の映像とスピーカ０７からの音声案内に従い、遊戯カードをカードリーダ０４にスキャンさせて読み込ませ、遊戯カードの情報を入力してゲームの準備をした後、所定時間内にジャンケンボタン０５ａ、０５ｂ、０５ｃのいずれか１つを選択して押して、コンピュータと対戦するのである。
【０００７】
図８（Ｂ）には２人対戦の際のゲームシステムの外観図を示す。この２人対戦の場合には、２人の遊戯者がジャンケンボタン０５を同時に入力する必要はない。つまり、幼い子供にとりタイミングを計ってジャンケンボタン０５を押す必要がなく、入力操作が簡単になるからである。
このように所定時間内に遊戯者各位が入力すればよいので、先にジャンケンボタン０５を押した側が対戦相手にどのジャンケンボタン０５を押したかを覗かれないようにするためにコントロールパネル０３に手隠し板０９が取り付けてある。この手隠し板０９は厚紙あるいは樹脂製でコントロールパネル０３のカードリーダ０４を挟んでそれぞれのジャンケンボタン０５ａ、０５ｂ、０５ｃをトンネル状に覆い隠す鳥の翼を広げたような構造になっている。この手隠し板０９は通常、ゲーム大会で使用されている。
【０００８】
この手隠し板０９を取り付けても、ジャンケンボタン０５の上側の隙間から相手に手の動きを察知されてしまう場合があるので、さらに手にハンカチ等の布で覆ってジャンケンボタン上に置いた手を隠す遊戯者も出現している。
【０００９】
【特許文献１】特開２００４−２６４７９６号公報（第３頁、図６）
【発明の開示】
【発明が解決しようとする課題】
【００１０】
銀行のキャッシュコーナでは利用者が暗証番号を入力する際に、後方に並んでいる者が入力中の暗証番号を覗き見する危険があり、その後に、キャッシュカードを盗まれて現金が引き落とされるような事件も発生しているのであった。
【００１１】
また携帯電話の画面の覗き見防止具では、電車等の人ごみのなかで、使用者とほぼ同じ目線の後方から覗かれることにより、画面の内容が見えてしまい、どんな文書を入力しているのか、あるいはどんな画像を見ているのか覗かれてしまう危険があった。
【００１２】
さらに甲虫の対戦ゲームにおいては、ジャンケン入力時に手隠し板があっても、ジャンケンボタンを押す手の動きを隙間から覗き見されてしまい、対戦相手にどのボタンを押したかを察知されてしまう場合があり、対戦相手がそれに勝つジャンケンボタンを押すと、先にジャンケンボタンを押した遊戯者がゲームに負けてしまうのであった。
さらにジャンケンボタンを押す手を布で覆い隠してジャンケンボタンを操作する際には、手を覆い隠している布がすべり落ちたり、あるいは手首の下側から盗みされる恐れもあり、完全に秘匿するのはなかなか大変であったのである。
【００１３】
そこで、本願では、公衆の前で情報を入力する際に、自分以外の人に察知されることなく入力できるようにする入力情報秘匿体を得ることにある。さらには子供たちが常に持ち運びができ、且つ他の用途にも使えるものが望まれるのであった。さらには一度しか使わない場合では安価に提供できることが望まれる。
【課題を解決するための手段】
【００１４】
本発明は前記課題を解決させるために、公衆の目前で銀行のキャッシュコーナや携帯電話あるいは、対戦ゲーム機等の情報処理装置に手で入力する際に手に取り付けて手及び前記情報処理装置の入力操作部を覆い隠す覆い隠し体を有する入力情報秘匿体としてある。
【００１５】
上記構成により、公衆の目前で情報処理装置に情報を入力する際に手元を覆い隠すことができ、他人に知られずに情報を入力することが可能となるのである。
【００１６】
本願発明は上記課題を解決するために、上記発明において、少なくとも手を覆う大きさで布や紙のように折畳みや折り曲げ等の変形可能な不透明体の略中央部に手を保持する保持部を設けた入力情報秘匿体としてある。
【００１７】
上記構成により、手を覆う大きさのある不透明体としてあるので、手を覆い、手を隠すことができ、さらに不透明体であることで透き通って手の操作が覗かれることがなく、安心して情報入力ができるのである。
【００１８】
さらに本願発明は上記課題を解決するために、上記発明において、覆い隠し体は、少なくとも手を覆う大きさでの紙や布等の如く折畳みや折り曲げ等の変形可能な不透明体の略中央部に手を保持する保持部を設け、前記不透明体は手首に巻着保持可能な係留部を有する入力情報秘匿体としてある。
【００１９】
上記構成により、手を覆い、手を隠して手に保持されるので、手を動かして情報を入力する際にずれることなく、さらに透けることなく、さらに手首部分に不透明体が巻きつけられ係留されるので手首の隙間から情報の入力を覗かれることがなく完全に入力状態を隠匿することができる。
【００２０】
尚、本願発明は上記課題を解決するために、上記発明において、不透明体は、表面に少なくともデザイン画が施した織物である入力情報秘匿体としてある。
上記構成とすることで、通常はデザイン画が施しているので親しみが沸き、手元に常におかれ手拭き等に携帯されるのである。
【００２１】
尚さらに、本願発明は上記課題を解決するために、前記発明において、不透明体は、表面が印刷された紙である入力情報秘匿体としてある。
上記構成とすることで、紙に色んな絵や宣伝等を印刷することが可能であり、さらに紙製とすること安価で使い捨てとすることが可能である。
【００２２】
本願は上記課題を解決するために、少なくとも手を覆い隠す大きさで布や紙のように折畳みや折り曲げ等の変形可能な不透明素材の略中央に手を保持する保持部を有する略２次元面体としてある。
上記構成により、略２次元面体であり可撓性があり、かつ不透明であるので少なくとも手を覆い隠して手を動かしても外部からは手の動きを悟られることがないのである。
【００２３】
本願は上記課題を解決するために、上記発明において、前記不透明素材縁には不透明素材の保持部に手を保持した際に手首を巻きつけ係留する係留部を有することを特徴とする略2次元面体。
上記構成により、手を覆い隠す際に手元に不透明素材縁を係留部を用いて巻き付けることができるので、手首の隙間から覗かれることを防ぐことができるのである。
【発明の効果】
【００２４】
本願発明の入力情報秘匿体により、公衆の目前で情報処理装置に情報を入力する際に手元を覆い隠すことができ、他人に知られずに情報を入力することが可能となり、他人の覗き見を防止できるのである。
さらに、情報入力時以外には別物品としてハンドタオルや広告物として使用でき、非常に便利である。
【発明を実施するための最良の形態】
【００２５】
以下に本発明に係る入力時の情報を本人以外の他人に察知されない入力情報秘匿体、又は略２次元面体について、図面に基づき詳細に説明する。
【実施例１】
【００２６】
図１は、実施例１の手隠しタオルの斜視図を示す。図１（Ａ）は手隠しタオルの表面斜視図であり、図１（Ｂ）は同裏面斜視図を示す。
手隠しタオル１は、一辺が２０ｃｍ程の正方形の大きさであり、手隠しタオル１の表面には各種のデザイン画２やデザイン文字３が施してあり、タオル布地の縁をミシンで縁縫い４が施されている。
手隠しタオル１の裏面の一つの隅５には隅の外方に突出して折り返した掛け紐６が、略三角形の隅当て布7とともに手隠しタオルの隅５に縫い付けられている。掛け紐６は、図示しない壁等のフックに掛ける際に使用する。
手隠しタオル1の裏面中央には縁に平行に幅１．３ｃｍのゴム紐８が長さ６．５ｃｍで両端を折り返して縫い付けられている。
【００２７】
図２は手隠しタオルの手への装着状態を示す裏面図を示す。手に装着するには手隠しタオル1の裏面に配置したゴム紐８に手Ｈの甲をタオル布地に接して差し入れることで、ゴム紐８が伸びて手隠しタオル1を手の甲に固定する。これにより、手Ｈは手隠しタオル1にその全体を覆われる。これにより手隠しタオルの上面から見た場合に指の動きが隠れて察知されることがないのである。
【００２８】
図３には手隠しタオルを装着してのボタン入力時の斜視図を示す。
ジャンケンボタンはコントロールパネル上に三角形の頂点上に配置されており、手の指でいずれかのボタンを押すのであるが、手隠しタオル1が手に装着されていることで、ボタンも手の動きも盗み見することができないのである。
そして手隠しタオルがゴム紐で手に装着されていることで、手Ｈからずれることがないので、ボタン入力動作が秘匿されるのである。
【実施例２】
【００２９】
次に図４は、実施例２の手隠しタオルの装着を示す裏面図を示す。尚、この手隠しタオル２０において、実施例１の手隠しタオルと同じ作りの部分は同一の記号を付し説明は略する。
ここでは、図２に示す手隠しタオル１の手への装着に加えて、図４（Ａ）に示す如く、ゴム紐８の長さ方向に平行な一辺の両隅には一対のスナップボタ９、９が縫い付けてある。あるいは図４（Ｂ）に示す如く、一対の面ファスナー１０、１０が手隠しタオルの一辺の長さの１／４程の長さで手隠しタオルの両隅から縁２１に沿って縫い付けられていてもよい。
これにより一対のスナップボタン９、９、あるいは一対の面ファスナー１０、１０を手首側にして手Ｈの甲を手隠しタオルのタオル面に当てゴム紐８に親指以外の指を通して、手隠しタオ２０を手Ｈに装着する。そしてスナップボタン９、９あるいは、一対のメンファスナー１０、１０で手隠しタオル１を手首に巻いて留める。
【００３０】
図５には実施例２の手隠しタオルを装着してのボタン入力時の斜視図を示す。この手隠しタオル２０は手隠しタオル裏面の中央のゴム紐が手の平を固定しており、さらに手隠しタオルの縁２１が手首に巻き付けられてスナップボタン９あるいは面ファスナー１０にて手首に巻かれて装着される。
上記のように手隠しタオル２０が手Ｈに装着されるため、手隠しタオル２０の中央のゴム紐８が手の平をゴム紐で張力をもって手の甲に装着でき、かつ手首の部分がほぼ手隠しタオルの縁２１で密着される。
【００３１】
従って、この手隠しタオル２０を手Ｈに装着してジャンケンボッタン群の上に手をおいて、いずれかのボタンを押す際に、手の動きが手隠しタオル２０の下に完全に隠れてしまい、いずれのボタン操作をしたのか、第三者に判定できなくなる。さらに手首の下側から覗こうにも手首が手隠しタオルの縁２１で巻かれているので、ボタン操作の様子を覗き見することができず、完全に入力情報の操作が秘匿されるのである。
【００３２】
また、上記説明では、一対のスナップボッタン９、９、または一対の面ファスナー１０、１０は手隠しタオル２０の裏面の縁に設けてあるが、その一方を手隠しタオルの表面に設けてもよい。つまり片方を裏面、他方を表面に設けるのである。
こうすることにより手隠しタオルは垂れることなく、手首に完全に巻かれるので手首との間に寸分の隙間も生じず、手首から指先の動きを覗き観てどのジャンケンボタンを押したかを推測することが完全に出来なくなるのである。
【００３３】
実施例１又は２に示すハンドタオルの入力情報秘匿体は、キャッシュカードの暗証番号入力や携帯電話のボタン操作や、ゲームの入力ボタンの操作の際に手に被着して手と操作部を覆い隠すことで、他人に操作内容を察知されることがなく、情報の流失を防ぐことができる。しかも、通常はハンドタオルとして手拭等に使用できる。
【００３４】
また、上記実施例１、２ではゴム紐は手隠しタオルの裏面中央に両端を折り返して縫い付けられているが、ゴム紐８の両端を面フアスナーとしておき、手隠しタオルの裏面の対応する位置にも対になる面ファスナーを設けて置くことで、ゴム紐を取り外し可能としておくことでもよい。これにより、使用者の手の大きさに合わせて取り付けることができるし、このゴム紐８が不要のときはゴム紐自体を取り去ることができる。無論、面ファスナーでなくてもスナップボタン等でもよい。
【実施例３】
【００３５】
さらに本願の実施例３について詳細に説明する。図６は実施例３の手隠し紙を示し、図６（Ａ）は手隠し紙の裏面斜視図を示し、図６（Ｂ）は同使用状態を示す斜視図である。
手隠し紙３０は略正方形の紙の表面にキャラクタ等の絵や広告が付されている。手隠し紙３０の裏面の中央には縁に平行に取っ手３１が取り付けてある。取っ手３１は紙テープやビニール片で出来ており、両端は接着部３１ａとなっており手隠し紙３０に貼り付けられる。取っ手３１の接着部３１ａは斜線で示している。
【００３６】
この手隠し紙３０は、取っ手３１に親指以外の指を通すことで、手を手隠し紙３０の裏面に覆い隠すことができる。取っ手３１は手隠し紙３０に密着して両端を貼り付けてあり、手Ｈを取っ手３１と手隠し紙３０に通すことで、手の平の厚みにより、取っ手３１は下側に広がり、手隠し紙３０はトンネル状に撓み、手隠し紙の左右縁３２、３２が下側に撓み、手Ｈを左右方向から見えないように覆い隠すことができる。
操作者はコントロールパネルのボタンの上に手を置き、ボタン操作をする際に手隠し紙３０の手前縁の左右３３ａ、３３ｂをもう一方の手で押さえることで、手首部分に隙間を作らず、完全に手を覆うことができ、対戦相手に対し手の動きを隠匿できるのである。
あるいは手隠し紙３０の手前縁の一隅に両面テープ３４を貼り付けておくことで、手首に手前縁の左右３３ａ、３３ｂを巻き付けて両面テープ３４で張り合わせることもできる。
【実施例４】
【００３７】
さらに実施例４について詳細に説明する。図７は実施例４の一枚作りの手隠し紙を示し、図７（Ａ）は手隠し紙の斜視図であり、図７（Ｂ）は同使用状態を示す斜視図である。
手隠し紙４０は、Ａ４の大きさの紙の表面にキャラクタ等の絵や広告が付されている。正方形になるように折り線４１が入っており、正方形の中央には縁に沿って平行に２本の切り込み線４２が入っており、取っ手４３を形成する。
【００３８】
この手隠し紙４０は、２本の切り込み線４２に沿って切り込み、折れ線４１を上側に折り曲げて取っ手４３に折り返し４４を重ねる。そして親指以外の手を手隠し紙４０の裏側から取っ手４３に通して手Ｈに装着することで、手Ｈを手隠し紙４０の裏面に覆い隠すことができる。
操作者は、手Ｈを取っ手４３と手隠し紙に通すことで、取っ手４３が手の平の厚みにより下側に広がり、手隠し紙４０はトンネル状に撓み、手隠し紙の左右縁４５、４５が下側に撓み、手Ｈを左右方向から見えないように覆い隠すことができる。
【００３９】
また折れ線４１で折り返した折り返し４４が取っ手４３を覆うことで取っ手４３を下側に広げてできた開口４３ａを塞ぐことができる。
操作者はコントロールパネルのボタンの上に手を置き、ボタン操作をする際に手隠し紙４０の左右の手前縁４６ａ、４６ｂをもう一方の手で押さえることで、手首部分に隙間を作らず、完全に手を覆うことができ、対戦相手に対し手の動きを隠匿できるのである。
あるいは手隠し紙４０がある程度の厚紙ならば、手隠し紙の左右の手前縁４６ａ、４６ｂを合わせた際に互いに嵌合する差込片４７ａと差込線４７ｂが折れ線４１を挟んで左右反対側のそれぞれの縁位置設けておき、手首の大きさに合わせて差込片４７ａを差込線４７ｂに嵌入れて手首に巻き付け係留する方法でもよい。この場合に差込片４７ａはコ字状の切り込みであり、差込線４７ｂは線分状で手首の大きさに合わせ調整が出来るように複数設けてある。
【００４０】
実施例３、４は紙製とすることでコストが安く作成でき、ゲーム大会等ではその場限りの手隠し紙として使用ができる。さらに紙であるので、印刷が容易であり、そのゲーム大会の会場独自の印刷を行なうことが可能であり、毎回、印刷内容を変更したり、店舗名や大会名など、を印刷することができる。何よりも紙製であるので、複写機を使って絵等のデザインを付すことができ、簡易手隠し体として、主催者側の広告媒体として利用しやすい。
【００４１】
上記いずれの実施例でも外観形状を略正方形としたが、形状は正方形に限らず、円形でも、多角形でも手を覆い隠すことができれば形状は問わない。また素材としてタオル生地等の織物や紙としてあるが、織物でなくとも手の動きが透けて悟られない不透明なもので、自由に折畳み折り曲げができるのであれば他の素材であってもよく、例えばビニール等の樹脂製でもよい。
形状、大きさは、少なくとも手を覆い隠す大きさであり、変形可能な不透明なら略２次元面素材の略中央に手を保持する保持部を有するものであれば、平面に限らない。例えばダンボールの中紙の波状の紙のような可撓性があるものに取っ手を設けたものでもよい。手に掛けた際に手の動きから外部から分からない程度に変形する略２次元面体であればよい。
【００４２】
実施例１，２ではハンドタオルの裏面中央にゴム紐を設けてあるので、入力情報秘匿に使わない場合は通常のハンドタオルとして使用ができるのである。また、ゴム紐でなくとも、単なる帯紐でも手の平が保持できれば使用に耐え得る。さらに環状のゴム紐や帯紐でなくとも例えば、ハンドタオルの裏面中央に設けた紐を中指等に巻きつけて使用するものであってもよく、手をハンドタオルの裏面中央に保持できれば形状を問わない。
【００４３】
以上、本発明の好適な実施の形態により本発明を説明した。ここでは図示の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００４４】
【図１】実施例１の手隠しタオルの斜視図である。
【図２】実施例１の手隠しタオルを手に装着した状態を示す裏面図である。
【図３】実施例１の手隠しタオルを装着してのボタン入力時の斜視図である。
【図４】実施例２の手隠しタオルの装着を示す裏面図である。
【図５】実施例２の手隠しタオルを装着してのボタン入力時の斜視図である。
【図６】実施例３の手隠し紙である。
【図７】実施例４の一枚作りの手隠し紙である。
【図８】従来技術の甲虫の対戦をテーマとした遊戯カードを読み込ませて遊ぶゲームシステムの外観図である。
【符号の説明】
【００４５】
１  手隠しタオル
２  デザイン画
３  デザイン文字
４  縁縫い
５  隅
６  掛け紐
７  隅当て布
８  ゴム紐
９  スナップボタン
１０  面ファスナー
２０  手隠しタオル
２１  縁
３０  手隠し紙
３１  取っ手
３２  左右縁
３３  手前側縁
３４  両面テープ
４０  手隠し紙
４１  折れ線
４２  切り込み線
４３  取っ手
４４  折り返し
４５  左右縁
４６  手前側縁
【図１】
2007080003.tif 000003
【図２】
2007080003.tif 000004
【図３】
2007080003.tif 000005
【図４】
2007080003.tif 000006
【図５】
2007080003.tif 000007
【図６】
2007080003.tif 000008
【図７】
2007080003.tif 000009
【図８】
2007080003.tif 000010